(57)【要約】      （修正有）【課題】処理胴周辺のメンテナンス性が高い脱穀装置を提供することを課題としている。【解決手段】回転駆動自在に軸支される扱胴２と処理胴８とが内装され、処理胴８を扱胴２の後方位置で、扱胴２に対して左右方向にオフセット配置した脱穀装置の枠体に、処理胴８の側方から扱胴２の側方に至る開口部１４を設け、枠体１に対して着脱自在に、開口部１４を覆う側方カバー１６を取り付けて設けた。  側方カバー１６を脱穀装置の枠体に着脱自在に取り付ける係合部材１８を、処理胴８により処理された処理物の濾過を行う処理網９より前方位置と処理網９より後方位置とにそれぞれ配置して設けた。【選択図】図２
2007049935.tif 000002
【特許請求の範囲】
【請求項１】
回転駆動自在に軸支される扱胴（２）と処理胴（８）とを内装し、処理胴（８）が、扱胴（２）の後方位置において、扱胴（２）に対して左右方向にオフセットして配置された脱穀装置において、該脱穀装置の枠体（１）に、処理胴（８）の側方から扱胴（２）の側方に至る開口部（１４）を設け、該開口部（１４）を覆う側方カバー（１６）を、枠体（１）に対して着脱自在に取り付けて設けた脱穀装置。
【請求項２】
側方カバー（１６）を脱穀装置の枠体（１）に着脱自在に取り付ける係合部材（１８）を設け、処理胴（８）の下方に、処理胴（８）により処理された処理物の濾過を行う処理網（９）を設け、係合部材（１８）を、処理網（９）より前方位置と処理網（９）より後方位置とにそれぞれ配置して設けた請求項１の脱穀装置。
【請求項３】
処理胴（８）の前方に、扱胴（２）の側方に位置する空間（２３）を設け、該空間（２３）に、処理胴（８）に駆動力を伝動する前後方向の伝動軸（３７）を設け、側方カバー（１６）が、処理胴（８）と伝動軸（３７）との連結部（３８）の側方を覆う請求項１又は２の脱穀装置。
【発明の詳細な説明】
【技術分野】
【０００１】
本発明は、脱穀装置に関する。
【背景技術】
【０００２】
従来回転駆動自在に軸支される扱胴と処理胴とを内装し、処理胴が、扱胴の後方位置において、扱胴に対して左右方向にオフセットして配置された脱穀装置が公知となっている（例えば特許文献１参照）。
【特許文献１】特開２００２−１７６８３７号公報
【発明の開示】
【発明が解決しようとする課題】
【０００３】
上記脱穀装置は、処理胴が内装された処理室が処理室カバーによって開閉可能となっている。ただし処理室カバーは処理室のみの開閉であるため、処理室カバーの開閉のみでは処理胴側のメンテナンスしか行うことができず、処理胴側から扱胴側に亘るメンテナンスを容易に行うことができないという欠点があった。
【課題を解決するための手段】
【０００４】
上記課題を解決するための本発明の脱穀装置は、回転駆動自在に軸支される扱胴２と処理胴８とを内装し、処理胴８が、扱胴２の後方位置において、扱胴２に対して左右方向にオフセットして配置された脱穀装置において、該脱穀装置の枠体１に、処理胴８の側方から扱胴２の側方に至る開口部１４を設け、該開口部１４を覆う側方カバー１６を、枠体１に対して着脱自在に取り付けて設けたことを第１の特徴としている。
【０００５】
第２に、側方カバー１６を脱穀装置の枠体１に着脱自在に取り付ける係合部材１８を設け、処理胴８の下方に、処理胴８により処理された処理物の濾過を行う処理網９を設け、係合部材１８を、処理網９より前方位置と処理網９より後方位置とにそれぞれ配置して設けたことを特徴としている。
【０００６】
第３に、処理胴８の前方に、扱胴２の側方に位置する空間２３を設け、該空間２３に、処理胴８に駆動力を伝動する前後方向の伝動軸３７を設け、側方カバー１６が、処理胴８と伝動軸３７との連結部３８の側方を覆うことを特徴としている。
【発明の効果】
【０００７】
以上のように構成される本発明の構造によると、側方カバーが、処理胴の側方から、扱胴の側方を覆うため、脱穀装置の枠体から側方カバーを取り外すことによって、処理胴と扱胴の側方部分が一斉に開放され、メンテナンスを容易に行うことができるという効果がある。
【０００８】
なお側方カバーを脱穀装置の枠体に着脱自在に取り付ける係合部材を設け、処理胴の下方に、処理胴により処理された処理物の濾過を行う処理網を設け、係合部材を、処理網より前方位置と処理網より後方位置とにそれぞれ配置して設けることによって、係合部材が処理網による濾過処理を妨げることなく、処理物の処理は円滑に行われる。
【０００９】
一方処理胴の前方に、扱胴の側方に位置する空間を設け、該空間に、処理胴に駆動力を伝動する前後方向の伝動軸を設け、側方カバーによって、処理胴と伝動軸との連結部の側方を覆うように構成することによって、枠体から側方カバーを取り外すことで、処理胴と伝動軸とのジョイント部分のメンテナンスを容易に行うことができる。
【発明を実施するための最良の形態】
【００１０】
図１は本発明を採用した脱穀装置の側面図、図２は要部平面断面図である。該脱穀装置の枠体１内には、回転駆動自在に軸支された扱胴２を上部に備えた扱室３が形成されている。扱室３の下方には、扱胴２により脱穀処理された後の処理物（脱穀粒とわら屑等の混合物）から籾を選別する選別室４が形成されている。扱胴２の下方側には、扱胴２の外周に沿った受網６が設けられている。扱室３と選別室４とは受網６によって区切られている。
【００１１】
扱室３の後方には、該扱室３に対して左右方向にオフセットして処理室７が設けられている。図２，図３に示されるように、処理室７と扱室３とは、処理室７の前方部分と扱室３の後方部分とが連通している。該処理室７内には処理胴８が回転駆動自在に軸支されて内装されている。処理胴８は扱胴２の後方側に扱胴２に対して左右方向にオフセット配置されている。
【００１２】
図４に示されるように、処理胴８は、外周が処理網９によって覆われている。処理室７と選別室４とは、処理網９によって区切られている。処理網９は、扱胴２側の内側処理網９ａと、内側処理網９ａの左右反対側の外側処理網９ｂとからなる。内側処理網９ａは処理胴外周の扱胴側の半分を覆う。内側処理網９ａは枠体１側に設けられた上下のブラケット１１，１２にボルトにより一体固定されている。
【００１３】
外側処理網９ｂは処理胴外周の反扱胴側の半分を覆う。外側処理網９ｂの上部は上記上ブラケット１１に内側処理網９ａと共締めでボルト固定されている。外側処理網９ｂの下部は、上記下ブラケット１２に形成された凹状の受け１２ａに挿入されて係止される。外側処理網９ｂの下部には正面断面が円形をなす円柱形状の凸部１３が設けられている。
【００１４】
凸部１３を受け１２ａの凹内に上方から挿入することによって、外側処理網９ｂの下部が下ブラケット１２に係止される。これにより外側処理網９ｂの着脱を容易に行うことができる。内側処理網９ａは、上下のブラケット１１，１２との固定用のボルトを外し、処理胴８に沿って回しながら外側に取り外すことができる。
【００１５】
脱穀装置の枠体１には、処理胴８の側方から扱胴２の後方側の側方に至る開口部１４が形成されている。該開口部１４は、平面視で一直線状をなし、側方カバー１６によって覆われている。図２，図５に示されるように、処理網９より前方及び後方には、係止杆１７が突出している。一方側方カバー１６からは、上記係止杆１７に下方から係合するフック１８が、係止杆１７に対応する位置において、脱穀装置の枠体１内に突出している。
【００１６】
側方カバー１６の上方は、扱胴２側に向かって屈曲又は湾曲している。側方カバー１６の上端縁には、枠体１の上面の端縁を挿入することができる受部１９が形成されている。受部１９に枠体１の上面の端縁を挿入した状態で、フック１８を係止杆１７に下方から係合させることによって、側方カバー１６が枠体１に取り付けられる。
【００１７】
側方カバー１６にはフック１８を下方に揺動させて係止杆１７との係合を解除させることができるレバー２２が設けれている。該レバー２２を操作してフック１８と係止杆１７との係合を解除させることによって、側方カバー１６をワンタッチで枠体１から取り外すことができる。
【００１８】
側方カバー１６は枠体に取り付けられた状態で、枠体１における扱胴２の前方側の側方を覆う前側板２１と平断面視で一直線状をなす。前側板２１は枠体１側にボルト２０によって固定されている。ボルト２０を外すことによって前側板２１を枠体１から取り外すことができる。
【００１９】
上記構造により処理室７の前方には、扱室３の側方に位置し、後方側が側方カバー１６によって、前方側が前側板２１によって覆われる空間２３が形成される。なお処理胴８の側方は、処理胴８の全長に亘って、上記側方カバー１６によって覆われている。扱胴２は、後方側の側方が側方カバー１６によって覆われている。
【００２０】
図６に示されるように、上記空間２３は、選別室４とつながっており、選別室４の一部を構成している。選別室４内には、扱胴２の下方から上記空間２３の外側の端部に亘り揺動選別体２４が設けられている。上記揺動選別体２４の下方には、選別風を送風する唐箕ファン２６が設けられている。扱胴２の後方には、処理胴７の側方に位置して藁屑等を強制排出する排塵ファン２７が設けらている。
【００２１】
また本脱穀装置には、１番物を収容する１番収容部２８と、１番物として収容されなかった枝梗粒，穂切粒等を含む２番物を収容する２番収容部２９と、前記１番収容部２８に収容された１番物を１番収容部２８の一端部まで横搬送する１番横らせん３１と、一端部まで横搬送された１番物を揚上搬送する揚上搬送筒３２と、前記２番収容部２９に収容された２番物を２番収容部２９の一端部まで横搬送する２番横らせん３３と、一端部まで横搬送された２番物を揚上搬送して揺動選別体２４に還元する還元搬送筒３４等も備えられている。
【００２２】
本脱穀装置は、枠体１の側方に設けられたフィードチェーン３５により穀稈を搬送し、該穀稈を扱胴２によって脱穀処理して処理物を受網６を介して選別室４に落下させる。これと共に、扱胴２により処理することができず、扱室３側から処理室７に送られる穂切れ等を処理胴８によって脱穀処理し、処理物を処理網９を介して選別室４に落下させる。
【００２３】
扱室３及び処理室７側から選別室４に落下させた処理物を揺動選別体２４に送り、揺動選別体２４において順次後方に送り、チャフシーブによって濾過し、さらに唐箕ファン２６及び排塵ファン２７によって形成されて送風される選別風によって１番物と２番物とに風選する。風選した１番物を１番物収容部２８に、２番物を２番物収容部２９に収容し、上記１番物を、１番らせん３１によって１番物収容部２８の端部に搬送し、揚上搬送筒３２に受け継がせ、揚上搬送筒３２によってグレンタンク等に排出する。
【００２４】
２番物は２番らせん３３によって２番物収容部２９の端部に搬送し、還元搬送筒３４に受け継がせ、還元搬送筒３４内の還元らせんを介して揺動選別体２４に還元する。上記脱穀処理時に、脱穀装置の枠体１内で発生する藁屑等の塵芥は上記選別風によって誘導され、排塵ファン２７で吸引されて排塵口から機外に排出される。
【００２５】
なお前述の処理室７の前方の空間２３が扱胴２の側方に設けられているため、扱胴２の側方側から落下する処理物は上記空間２３を通過して選別室４に落下する。このため処理物は所定の範囲（例えば扱胴２の直下）に集中して落下することなく、扱胴２の直下から上記空間２３の外側の端部に亘り均等に落下し、揺動選別体２４上に概ね均等に供給される。
【００２６】
還元搬送筒３４には、跳ね出される２番物を案内する案内部３６が設けられている。案内部３４の端部は、選別室４における上記空間２３の近傍に接続されている。２番物は空間２３を通過して揺動選別体２４に還元される。
【００２７】
本脱穀装置は、上記構造により、選別室４が扱胴２の下方から上記空間２３の外側端に亘る大きな幅広なスペースとなり、揺動選別体２４が選別室４の幅いっぱいに亘る幅広のタイプとなっているため、選別面積が大きくなり、選別効率が高い。加えて扱胴２からの処理物がほぼ均等に揺動選別体２４に供給され、且つ２番物が上記空間２３を通過して揺動選別体２４に還元されるため、２番物が揺動選別体２４上に均等に拡散される。これらにより揺動選別体２４上の処理物の層厚が均等化され、選別性能が高い。
【００２８】
前述の処理室７の前方の空間２３内には、処理胴８に駆動力を伝動する伝動軸３７が前後方向に通っている。該伝動軸３７の後端はジョイント３８を介して処理胴８側に連結されている。上記伝動軸３７の前端は、上記空間２３の前方を覆う枠体１の前板３９の前方側に配置されたギヤボックス４１の出力側にジョイント４２を介して連結されている。
【００２９】
ギヤボックス４１からの駆動力が伝動軸３７を介して処理胴７に伝動され、処理胴７が回転駆動される。両ジョイント３８，４２は上記空間２３内に位置している。伝動軸３７と処理胴８側とを連結するジョイント３８は側方カバー１６の側方に位置している。
【００３０】
上記構造により側方カバー１６を枠体１から取り外すことによって、処理胴８の全側方と扱胴２の後方側の側方が一斉に開放される。この際伝動軸３７と処理胴７側とを連結するジョイント３８も裸出する。前側板２１と側方カバー１６の境界位置は、概ね揚上搬送筒３２の位置となっており、概ね揚上搬送筒３２より後方が一斉に開放される。
【００３１】
これにより処理胴８や扱胴２のメンテナンスを容易に行うことができ、特に上記ジョイント３８や、ジョイント３８の周辺のメンテナンスを簡単に行うことができる。また前側板２１を取り外すことにより、扱胴２の側方が全体的に開放され、これにより本脱穀装置のメンテナンス性はより高くなる。
【００３２】
なおフック１８及び係止杆１７は、処理網９より前方位置と処理網９より後方位置とにそれぞれ配置されている。このためフック１８や係止杆１７が処理網９による濾過処理を妨げることなく、処理物の処理は円滑に行われる。
【図面の簡単な説明】
【００３３】
【図１】脱穀装置の右側面図である。
【図２】脱穀装置の要部平面図である。
【図３】図２のＡ−Ａ断面図である。
【図４】図２のＢ−Ｂ断面図である。
【図５】図２のＣ−Ｃ断面図である。
【図６】図２のＤ−Ｄ断面図である。
【符号の説明】
【００３４】
１    枠体
２    扱胴
８    処理胴
９    処理網
１４  開口部
１６  側方カバー
１８  フック（係合部材）
２３  空間
３７  伝動軸
３８  ジョイント（連結部）
【図１】
2007049935.tif 000003
【図２】
2007049935.tif 000004
【図３】
2007049935.tif 000005
【図４】
2007049935.tif 000006
【図５】
2007049935.tif 000007
【図６】
2007049935.tif 000008